(57)【要約】本発明は、表示機器のカムフラージュ／回復が可能な表示機器及び制御機器に関する。制御機器は、ユーザ命令を受信するカムフラージュ／回復開始モジュールと、表示機器のカムフラージュを開始するユーザ命令が受信されたとき、表示機器周囲の背景壁パターンの画像をキャプチャする画像キャプチャモジュールと、画像キャプチャモジュールによってキャプチャされた表示機器周囲の背景壁パターンの画像を処理することにより、表示機器上に表示されるべき背景壁パターンの画像を得る画像処理モジュールと、表示機器のカムフラージュを開始するユーザ命令、及び、得られた表示機器上に表示されるべき背景壁パターンの画像を表示機器に送信する通信モジュールと、を含む。表示機器は、制御機器から受信した背景壁パターンの画像を自機器が消えたかのように表示する。制御機器は、表示機器を回復するユーザ命令を受信したとき、表示機器を、カムフラージュモード前の通常表示状態に回復するようにトリガリングする。
2018507439.tif 000002
【特許請求の範囲】
【請求項１】
ユーザ命令を受信するように構成されたカムフラージュ／回復開始モジュール（１１４０）と、
表示機器のカムフラージュを開始するユーザ命令が受信されたとき、表示機器周囲の背景壁パターンの画像をキャプチャするように構成された画像キャプチャモジュール（１１３０）と、
前記画像キャプチャモジュールによってキャプチャされた表示機器周囲の背景壁パターンの画像を処理することにより、表示機器上に表示されるべき背景壁パターンの画像を得るように構成された画像処理モジュール（１１２０）と、
表示機器のカムフラージュを開始するユーザ命令、及び、得られた、表示機器上に表示されるべき背景壁パターンの画像を表示機器に送信するように構成された通信モジュール（１１１０）と、を含む制御機器。
【請求項２】
前記画像処理モジュール（１１２０）は、
表示機器が取り付けられる前の背景壁パターンの画像と、前記画像キャプチャモジュールによってキャプチャされた表示機器周囲の背景壁パターンの画像と、を記憶するように構成された画像記憶ユニット（１１２２）と、
前記画像記憶ユニット内に記憶されているパターンの画像について処理を行うことにより、表示機器上に表示されるべき背景壁パターンの画像を得るように構成された画像処理ユニット（１１２４）と、
前記画像処理ユニットによって得られた背景壁パターンの画像を所定の規則に従って補正するように構成された画像補正ユニット（１１２６）と、を含む、請求項１に記載の制御機器。
【請求項３】
前記通信モジュール（１１１０）は、更に、
表示機器を回復するユーザ命令が前記カムフラージュ／回復開始モジュールによって受信されたとき、表示機器を回復する該ユーザ命令を表示機器に送信するように構成されている、請求項１に記載の制御機器。
【請求項４】
前記画像キャプチャモジュール及び前記画像処理モジュールは、表示機器を回復するユーザ命令が前記カムフラージュ／回復開始モジュールによって受信されたとき、動作しないように構成されている、請求項１に記載の制御機器。
【請求項５】
スマートリモコン、スマートフォン、タブレットコンピュータの何れか１つである、請求項１に記載の制御機器。
【請求項６】
制御機器からユーザ命令を受信し、且つ、ユーザ命令が、表示機器のカムフラージュを開始するユーザ命令である場合には、表示されるべき背景壁パターンの画像を更に受信するように構成された通信モジュール（１２１０）と、
表示されるべき背景壁パターンの画像に応じて、画像表示モジュール向けの表示情報を生成するように構成された表示制御モジュール（１２２０）と、
表示情報に応じて表示を行うように構成された画像表示モジュール（１２３０）と、を含む表示機器。
【請求項７】
表示機器周囲の環境の光情報を検出すると共に該光情報を表示制御モジュール（１２２０）に送信するように構成された光感知モジュール（１２４０）を更に含み、
前記表示制御モジュールは、受信した表示機器周囲の環境の光情報に応じて、画像表示モジュール向けの表示情報を補正する、請求項６に記載の表示機器。
【請求項８】
前記表示制御モジュールは、更に、
表示機器のカムフラージュを開始するユーザ命令が受信されたとき、表示機器の現在表示状態に関するデータを記憶するように構成されている、請求項６に記載の表示機器。
【請求項９】
前記通信モジュールが制御機器から受信したユーザ命令が、表示機器を回復するユーザ命令である場合には、
前記表示制御モジュールは、記憶されている、表示機器の現在表示状態に関するデータを取得し、該現在表示状態に関するデータを画像表示モジュールに送信し、
前記画像表示モジュールは、受信した現在表示状態に関するデータに応じて、表示機器の表示状態を回復する、請求項６に記載の表示機器。
【請求項１０】
テレビの表示パネル、デスクトップ型コンピュータのモニタの何れか１つである、請求項６に記載の表示機器。
【請求項１１】
超薄型フレームレス表示機器である、請求項６に記載の表示機器。
【請求項１２】
請求項１〜５の何れか１項に記載の制御機器と、請求項６〜１１の何れか１項に記載の表示機器とを含む、表示機器カムフラージュシステム（１０００）。
【請求項１３】
ユーザ命令を受信するステップと、
表示機器のカムフラージュを開始するユーザ命令が受信されたとき、表示機器周囲の背景壁パターンの画像をキャプチャするステップと、
キャプチャされた表示機器周囲の背景壁パターンの画像を処理することにより、表示機器上に表示されるべき背景壁パターンの画像を得るステップと、
表示機器のカムフラージュを開始するユーザ命令、及び、得られた、表示機器上に表示されるべき背景壁パターンの画像を表示機器に送信するステップと、を含む表示機器カムフラージュ方法。
【請求項１４】
キャプチャされた表示機器周囲の背景壁パターンの画像に対する処理には、
表示機器が取り付けられる前の背景壁パターンの画像と、キャプチャされた表示機器周囲の背景壁パターンの画像と、を記憶するステップと、
記憶されているパターンの画像について処理を行うことにより、表示機器上に表示されるべき背景壁パターンの画像を得るステップと、
得られた背景壁パターンの画像を所定の規則に従って補正するステップと、が含まれる、請求項１３に記載の表示機器カムフラージュ方法。
【請求項１５】
表示機器を回復するユーザ命令が受信されたとき、表示機器を回復する該ユーザ命令を表示機器に送信するステップを更に含む、請求項１３に記載の表示機器カムフラージュ方法。
【請求項１６】
表示機器のカムフラージュを開始するユーザ命令、及び、表示されるべき背景壁パターンの画像を受信するステップと、
表示されるべき背景壁パターンの画像に応じて表示情報を生成するステップと、
表示情報に応じて表示を行うステップと、を含む表示機器カムフラージュ方法。
【請求項１７】
表示機器周囲の環境の光情報を検出するステップと、
受信された表示機器周囲の環境の光情報に応じて前記表示情報を補正するステップと、を更に含む、請求項１６に記載の表示機器カムフラージュ方法。
【請求項１８】
表示機器のカムフラージュを開始するユーザ命令が受信されたとき、表示機器の現在表示状態に関するデータを記憶するステップを更に含む、請求項１６に記載の表示機器カムフラージュ方法。
【請求項１９】
表示機器を回復するユーザ命令を受信するステップと、
記憶されている、表示機器の現在表示状態に関するデータを取得するステップと、
取得された現在表示状態に関するデータに応じて、表示機器の表示状態を回復するステップと、を更に含む、請求項１６に記載の表示機器カムフラージュ方法。
【発明の詳細な説明】
【技術分野】
【０００１】
本発明は、スマートマルチメディア技術に関し、より具体的には、表示機器のカムフラージュ／回復システム及び制御方法に関する。
【背景技術】
【０００２】
マルチメディア技術及びマルチメディア機器の発展につれ、人々の生活に利便性をもたらす様々なアプリケーションが現れている。例えば、中国特許出願公開ＣＮ２０１２２０２０３４１２．１には、物体の表面に実装された少なくとも１つの広角カメラと、広角カメラによって撮影された画像を表示するための少なくとも１つの表示パネルと、を備えた物体ステルス装置であって、広角カメラと表示パネルとが一対一に設置されていると共に電気的に接続されており、互いに対応する広角カメラ及び表示パネルが物体上の対向する両側にそれぞれ設置されており、且つ、広角カメラのレンズの向きと表示パネルの表示面の向きとが互いに逆である装置が開示されている。この装置では、広角カメラが表示パネル背後の画像を撮影して表示パネル上に表示させることにより、観察者は、物体が視覚的に存在しないかのように表示パネル背後の画像が見え、ステルスという視覚的効果が得られる。
【発明の概要】
【発明が解決しようとする課題】
【０００３】
しかしながら、ＣＮ２０１２２０２０３４１２．１には、単に物体ステルスシステムのことが開示されたのみであり、背景パターンと一致するパターンの画像をどのように得るかについて、詳細な方法が開示されていない。また、広角カメラで撮影された表示パネル背後の画像では、物体を隠すのに不十分であった。
【課題を解決するための手段】
【０００４】
上記のように、従来のカムフラージュシステムでは上記の問題が存在し、良好なユーザ体験を提供することが困難である。
【０００５】
そこで、本発明は、表示機器のカムフラージュを精度良く行うことができる、表示機器のカムフラージュ／回復システム及び方法を提供する。
【０００６】
本発明の一態様によれば、ユーザ命令を受信するように構成されたカムフラージュ／回復開始モジュールと、表示機器のカムフラージュを開始するユーザ命令が受信されたとき、表示機器周囲の背景壁パターンの画像をキャプチャするように構成された画像キャプチャモジュールと、前記画像キャプチャモジュールによってキャプチャされた表示機器周囲の背景壁パターンの画像を処理することにより、表示機器上に表示されるべき背景壁パターンの画像を得るように構成された画像処理モジュールと、表示機器のカムフラージュを開始するユーザ命令、及び、得られた表示機器上に表示されるべき背景壁パターンの画像を表示機器に送信するように構成された通信モジュールと、を含む制御機器を提供する。
【０００７】
本発明の別の一態様によれば、制御機器からユーザ命令を受信し、且つ、ユーザ命令が表示機器のカムフラージュを開始するユーザ命令である場合には、表示されるべき背景壁パターンの画像を更に受信するように構成された通信モジュールと、表示されるべき背景壁パターンの画像に応じて、画像表示モジュール向けの表示情報を生成するように構成された表示制御モジュールと、表示情報に応じて表示を行うように構成された画像表示モジュールと、を含む表示機器を提供する。
【０００８】
本発明の別の一態様によれば、本発明の一態様に係る制御機器と、本発明の別の一態様に係る表示機器とを含む、表示機器カムフラージュシステムを提供する。
【０００９】
本発明の別の一態様によれば、ユーザ命令を受信するステップと、表示機器のカムフラージュを開始するユーザ命令が受信されたとき、表示機器周囲の背景壁パターンの画像をキャプチャするステップと、キャプチャされた表示機器周囲の背景壁パターンの画像を処理することにより、表示機器上に表示されるべき背景壁パターンの画像を得るステップと、表示機器のカムフラージュを開始するユーザ命令、及び、得られた表示機器上に表示されるべき背景壁パターンの画像を表示機器に送信するステップと、を含む、表示機器カムフラージュ方法を提供する。
【００１０】
本発明の別の一態様によれば、表示機器のカムフラージュを開始するユーザ命令、及び、表示されるべき背景壁パターンの画像を受信するステップと、表示されるべき背景壁パターンの画像に応じて表示情報を生成するステップと、表示情報に応じて表示を行うステップと、を含む表示機器カムフラージュ方法を提供する。
【発明の効果】
【００１１】
本発明の技術的構成によれば、ユーザは、表示機器のカムフラージュを実行しようとするとき、制御機器側において「カムフラージュ」モードをトリガリングすればよい。表示機器に背景壁パターンの画像を表示させることにより、表示機器が消えたかのように見え、カムフラージュ効果が実現される。また、ユーザは、表示機器のカムフラージュを実行したくないとき、制御機器側において「回復」モードをトリガリングし、表示機器を通常の表示状態に回復すればよい。本発明によれば、ユーザが制御機器側で制御を行うことが可能であり、テレビまたはその類の表示機器のユーザ体験が良くなる。また、本発明によれば、表示機器周囲の環境の疑似精度が向上する。
【００１２】
本発明の更なる目的、特徴及び利点は下記の説明により更に明白となる。また、図面を参照して説明する下記構成により、本発明の利点は明らかになる。
【図面の簡単な説明】
【００１３】
【図１】本発明の１つまたは複数の実施例に係る、表示機器カムフラージュシステムを示す模式ブロック図である。
【図２】本発明の１つまたは複数の実施例における画像処理モジュールを示す模式ブロック図である。
【図３】本発明の１つまたは複数の実施例に係る、表示機器カムフラージュ方法を示すフローチャートである。
【図４】本発明の１つまたは複数の実施例に係る、表示機器の回復方法を示すフローチャートである。
【発明を実施するための形態】
【００１４】
以下、図面に基づいて本発明の例示的な実施例を詳述する。なお、以下の記載における一部の具体的な実施例は、単に説明するためのものであり、本発明を限定するものではなく本発明の例示にすぎないと理解されるべきである。また、本発明に対する理解の混同を避けるために、一般的な構成または構造の説明は省略する。
【００１５】
図１は、本発明の１つまたは複数の実施例に係る、表示機器カムフラージュシステム１０００を示す模式ブロック図である。図示のように、該表示機器カムフラージュシステム１０００は、制御機器１１００及び表示機器１２００を含む。
【００１６】
制御機器１１００は、通信モジュール１１１０と、画像処理モジュール１１２０と、画像キャプチャモジュール１１３０と、カムフラージュ／回復開始モジュール１１４０とを含む。制御機器１１００は、例えばスマートリモコン、スマートフォン、タブレットコンピュータ、または、外部と通信可能、且つ画像処理が可能な他の機器であってもよい。ユーザは、カムフラージュ／回復開始モジュール１１４０を介し、例えば、リモコン若しくはスマートフォン上の特定ボタンに対する押圧、マウスのクリック、表示パネルへのタッチ、または電話への音声指示入力などで、命令を入力することができる。表示機器のカムフラージュを開始するユーザ命令がカムフラージュ／回復開始モジュール１１４０によって受信されたとき、画像キャプチャモジュール１１３０は、表示機器１２００周囲の背景壁パターンの画像をキャプチャする。そして、画像処理モジュール１１２０は、画像キャプチャモジュール１１３０によってキャプチャされた表示機器周囲の背景壁パターンの画像を処理することにより、表示機器１２００上に表示されるべき背景壁パターンの画像を得る。その後、通信モジュール１１４０は、ユーザ命令、及び、表示されるべき背景壁パターンの画像を表示機器１２００に送信する。また、表示機器を回復するユーザ命令がカムフラージュ／回復開始モジュール１１４０によって受信されたとき、画像キャプチャモジュール１１３０及び画像処理モジュール１１２０は動作しなくてもよい。この場合、通信モジュール１１４０は、表示機器を回復するユーザ命令のみを表示機器に送信する。
【００１７】
表示機器１２００は、通信モジュール１２１０と、表示制御モジュール１２２０と、画像表示モジュール１２３０とを含む。表示機器１２００は、例えばテレビの表示パネル、デスクトップ型コンピュータのモニタなど、画像表示が可能な機器であってもよい。通信モジュール１２１０が制御機器１１００からユーザ命令、及び、表示されるべき背景壁パターンの画像を受信したとき、表示制御モジュール１２２０は、表示されるべき背景壁パターンの画像に応じて、画像表示モジュール向けの表示情報を生成する。そして、画像表示モジュール１２３０は、表示情報に応じて表示を行うことにより、カムフラージュのための背景壁パターンの画像を表示する。
【００１８】
図１のように表示機器１２００は、表示機器周囲の環境の光情報を検出すると共に該光情報を表示制御モジュール１２２０に送信する光感知モジュール１２４０を更に含んでもよい。そして表示制御モジュール１２２０は、受信した表示機器周囲の環境の光情報に応じて、表示機器周囲の環境の疑似がより迫真となるように表示情報を補正する。
【００１９】
また、表示制御モジュール１２２０は、表示機器のカムフラージュを開始するユーザ命令が通信モジュール１２１０によって受信されたとき、表示機器の現在表示状態に関するデータを記憶する。なお、表示機器の現在表示状態に関するデータは、表示機器のメモリまたは外部のメモリに記憶してもよい。
【００２０】
通信モジュール１２１０が制御機器１１００から受信したユーザ命令が、表示機器を回復するユーザ命令である場合には、表示制御モジュール１２２０は、記憶されている、表示機器の現在表示状態に関するデータを取得し、当該現在表示状態に関するデータを画像表示モジュール１２３０に送信する。そして画像表示モジュール１２３０は、受信した現在表示状態に関するデータに応じて、表示機器の表示状態を回復する。
【００２１】
制御機器の通信モジュール１１４０及び表示機器の通信モジュール１２１０は、ブルートゥース（登録商標）、ローカルＷｉＦｉ（登録商標）、またはローカルエリアネットワーク（ＬＡＮ）などを介して通信を行ってもよい。
【００２２】
図２は、本発明の１つまたは複数の実施例における画像処理モジュールを示す模式ブロック図である。図２に示すように、画像処理モジュール１１２０は、表示機器が取り付けられる前の背景壁パターンの画像と、画像キャプチャモジュールによってキャプチャされた表示機器周囲の背景壁パターンの画像とを記憶する画像記憶ユニット１１２２と、画像記憶ユニット内に記憶されているパターン画像について処理を行うことにより、表示機器上に表示されるべき背景壁パターンの画像を得る画像処理ユニット１１２４と、画像処理ユニットによって得られた背景壁パターンの画像を所定の規則に従って補正し、例えば得られた画像内のコンセント部分を削除して、該画像の美感に対する要求をより一層満たす画像補正ユニット１１２６と、を含む。
【００２３】
画像処理ユニット１１２４は、画像キャプチャモジュールによってキャプチャされた背景壁パターンの画像と、予め記憶されている、表示機器が取り付けられる前の背景壁パターンの画像とを比較することで、表示機器のカムフラージュのために表示機器上に表示されるべき背景壁パターンの画像を得てもよい。画像補正ユニット１１２６は、例えば予め決められた基準に従い、画像処理ユニット１１２４によって得られた背景壁パターンの画像を補正してもよい。例えば、表示機器が取り付けられていない疑似状態がより迫真となるよう、表示機器によって遮られている部分を補正してもよい。
【００２４】
これにより、表示機器上に表示されるべき背景壁パターンの画像をより正確に得ることができ、表示機器に対するカムフラージュ効果がより向上する。
【００２５】
図３は、本発明の１つまたは複数の実施例に係る、表示機器カムフラージュ方法を示すフローチャートである。
【００２６】
図３に示すように、ユーザが表示機器１２００のカムフラージュを実行しようとすると、該方法はスタートする。ステップＳ３１０では、ユーザは、制御機器１１００側において、カムフラージュ／回復開始モジュール１１４０を介して命令を入力することで「カムフラージュ」モードを起動させてもよい。ユーザの命令は、例えば音声、ジェスチャまたはボタンに関するデータであってもよい。ユーザは、例えば、リモコン若しくはスマートフォン上の特定ボタンに対する押圧、マウスのクリック、表示パネルへのタッチ、または電話への音声指示入力などで、命令を入力してもよい。その後、カムフラージュ／回復開始モジュール１１４０は、画像キャプチャモジュール１１３０に該命令を送信する。ステップＳ３２０では、画像キャプチャモジュール１１３０は、表示機器のカムフラージュを開始するユーザ命令が受信されたとき、表示機器周囲の背景壁パターンのデータをキャプチャする。続いて、ステップＳ３３０では、画像処理モジュール１１２０は、キャプチャされた表示機器周囲の背景壁パターンの画像を処理することにより、表示機器上に表示されるべき背景壁パターンの画像を得る。制御機器側での最後のステップＳ３４０では、得られた背景壁パターンの画像を、通信モジュール１１４０を介して表示機器に送信する。ステップＳ３５０では、表示機器は、表示機器のカムフラージュを開始するユーザ命令を受信したとき、自機器の現在表示状態に関するデータを記憶する。続いて、ステップＳ３６０では、表示されるべき背景壁パターンの画像に応じて表示情報を生成する。最後に、ステップＳ３７０では、表示情報に応じて表示を行い、カムフラージュのための画像を表示する。なお、ステップＳ３６０において、表示機器は、表示されるべき背景壁パターンの画像を得た後に、該画像を適宜補正してもよい。例えば、表示機器周囲の環境の光情報を検出し、検出した環境の光情報に応じて、表示機器のカムフラージュが最適となるように表示情報を補正してもよい。
【００２７】
図４は、本発明の１つまたは複数の実施例に係る、表示機器の回復方法を示すフローチャートである。ユーザが表示機器１２００を通常の表示状態に回復しようとすると、該方法はスタートする。ステップＳ４１０では、ユーザは、制御機器１１０側において、カムフラージュ／回復開始モジュール１１４０を介して命令を入力することで「回復」モードを起動させてもよい。その後、ステップＳ４２０では、通信モジュール１１４０は、表示機器を回復するユーザ命令を表示機器に送信する。ステップＳ４３０では、表示機器は、表示機器を回復するユーザ命令を受信したとき、記憶されている、現在表示状態に関するデータを取得する。続いて、ステップＳ４４０では、取得した現在表示状態に関するデータに応じて、表示機器の表示状態を回復する。
【００２８】
本発明の技術的構成によれば、ユーザは、表示機器のカムフラージュを実行しようとするとき、制御機器側において「カムフラージュ」モードをトリガリングすればよい。表示機器上に背景壁パターンの画像を表示させることにより、表示機器が消えたかのように見え、カムフラージュ効果が実現される。また、制御機器側において処理を行って表示機器上に表示されるべき背景壁パターンの画像を得ることにより、表示機器の背景パターンの疑似がより迫真となる画像を得ることができる。これにより、表示機器が制御機器から受信した背景壁パターンの画像を表示する際、カムフラージュ効果はより向上する。また、ユーザは表示機器のカムフラージュを実行したくないとき、制御機器側において「回復」モードをトリガリングし、表示機器を通常の表示状態に回復すればよい。本発明によれば、ユーザが制御機器側において制御を行うことが可能であり、テレビまたはその類の表示機器のユーザ体験が良くなる。また、本発明によれば、表示機器周囲の環境の疑似精度が向上する。
【００２９】
上述した本発明の実施例に関する他の構成としては、上述した方法の実施例におけるステップ及び動作を実行するソフトウェアプログラムを含む。より具体的には、該コンピュータプログラム製品とは、符号化されたコンピュータプログラムロジックを記録したコンピュータ読み取り可能な記録媒体を備え、該コンピュータプログラムロジックがコンピュータ機器上で実行されると、上記の技術的構成の実現に関する処理が行われる製品である。また、該コンピュータプログラムロジックは、コンピューティングシステムにおける少なくとも１つのプロセッサにより実行されると、本発明の実施例に記載の動作（方法）が実行されるようになる。本発明の上記構成に供される代表的なものとしては、例えば、光学媒体（例えばＣＤ−ＲＯＭ）、フロッピ（登録商標）またはハードディスクのようなコンピュータ読み取り可能な記録媒体上に記録または符号化された、ソフトウェア、コード、及び／若しくは他のデータ構成；或いは、１つまたは複数のＲＯＭ、ＲＡＭ若しくはＰＲＯＭチップ上のハード構成やマイクロコードのような別媒体、特定用途集積回路（ＡＳＩＣ）；或いは、１つまたは複数のモジュール内のダウンロード可能なソフトウェア画像、共有データベース等が挙げられる。また、ソフトウェア、ハードウェアまたは上記のような構成をコンピュータ機器に設け、本発明の実施例に記載の技術的構成をコンピュータ機器内の１つまたは複数のプロセッサに実行させてもよい。また、例えばデータ通信機器セットまたは他の実体演算機器と共同で行われるソフトウェアプロセスによっても、本発明に係る機器は実現され得る。本発明に係る機器は、複数のデータ通信機器上の複数のソフトウェアプロセスの間、小型専用コンピュータ群上で動作するあらゆるソフトウェアプロセスの間、または、単独のコンピュータ上で動作するあらゆるソフトウェアプロセスの間に分散される形式で実現され得る。
【００３０】
厳密に言えば、本発明の実施例は、コンピュータ機器上のソフトウェアプログラム、ソフトウェアやハードウェア、または、独立ソフトウェア及び／若しくは独立回路としても実現され得るものと理解されるべきである。
【００３１】
なお、以上は単に例示の形で本発明の技術的構成を説明したが、本発明が上記のステップ及びユニット構成に限定されることを意味するものではない。可能であれば、必要に応じてステップ及びユニット構成を調整、取捨してもよい。したがって、一部のステップ及びユニットは、必ずしも本発明の思想全体上の実施に必要な要素ではない。そのため、本発明に必要な技術的特徴は、以上の具体的な実施例に限定されず、本発明の思想全体における必要最低限の構成を実現可能なもののみに限定される。
【００３２】
以上、好ましい実施例を例示しながら本発明について説明したが、当業者が本発明の精神及び範囲から逸脱しない範囲で、本発明に対して種々の変更、置換及び追加を行うことが可能であると理解されるべきである。したがって、本発明の範囲は、上述した特定な実施例に限定されず、添付される特許請求の範囲により限定されるべきである。
【図１】
2018507439.tif 000003
【図２】
2018507439.tif 000004
【図３】
2018507439.tif 000005
【図４】
2018507439.tif 000006
【国際調査報告】
2018507439.tif 000007
2018507439.tif 000008
2018507439.tif 000009
2018507439.tif 000010